(57)【特許請求の範囲】
【請求項１】
用紙台に置かれた用紙を所定位置にガイドするための用紙ガイド装置であって、用紙幅方向に沿って手操作によって移動可能な用紙幅決めフィンを有し、該フィンの移動可能幅は複数種の用紙幅に対応するよう設定されるが、該フィンは所定の用紙幅ではそれ以上の拡幅移動若しくは縮幅移動がロック手段によって不能とされ、上記フィンは用紙幅方向に対向して一対設けられており、これらフィンは、用紙台ケーシングを幅方向に摺動するラックギア付きスライダーを有し、上記スライダーは上記ケーシングに取り付けられたピニオンギアに噛み合って協同移動可能であり、上記フィン及びスライダーが樹脂成形体であり、上記ロック手段が上記スライダーに一体成形された突片とケーシングに成形された突起との係合関係により形成され、その突片は切除可能なことを特徴とする用紙ガイド装置。
【発明の詳細な説明】
【０００１】
【発明の属する技術分野】
本発明は、例えば、コピー機或いは、ファクシミリ機等の画像読取装置において採用されている画像読取部に送り込む原稿或いは記録部へ供給する記録紙の巾方向の位置決めをするための用紙ガイド装置に関する。
【０００２】
【従来の技術】
図４は画像読取装置における従来の用紙巾決め装置の平面図である。同図において、符号１で示すものは用紙台、２は一対の巾決めのフィン、３は用紙台１の左右に互いに平行になるように配置されたフィンガイド用長孔、４はフィンに一体的に形成され、用紙台１の裏面に用紙巾方向に摺動可能に設けられたスライダー、５はスライダー４に形成されたラックギアである。６は軸６ａにより用紙台１に回動自在に枢支され、両ラックギア５に噛合するピニオンギアであり、７は用紙サイズ表示部、１１は用紙挿入口である。用紙台１の巾決めフィンの中間あたりにピニオンギア６がピン６ａにより枢支されており、一方のフィンを手操作により動かすと、ピニオンギア６に噛合するラックギア５を介して、両スライダー４が協同動作する、協同動作機構を形成している。
【０００３】
ところで、前述の従来の用紙巾決め装置では、画像読取装置の仕様に応じてフィンの可動域を変える必要がある場合にはスライダーを数種類作る必要がある。例えば、海外仕様の場合はＡ４サイズまでフィンを広げられれば十分だが、国内仕様の場合はＢ４サイズまでフィンを広げる必要がある。この場合、仕様に応じて数種類の異なる長さのスライダーを作らなければならない。従って、用紙巾決め装置の本体である画像読取装置の仕様に応じたスライダー及びケーシング金型を作らなければならない上、さらにはモデルチェンジのたびに仕様に合わせて数種類のスライダー及びケーシング金型も作らなければならない。
【０００４】
【発明が解決しようとする課題】
しかし、仕様やモデルチェンジのたびにスライダー及びケーシングの金型を作るのでは、金型コスト等がかさむ。そこで、どの仕様でも使用できる共通のスライダー及びケーシングを作り、金型コストの低減及び部品数低減による管理費用の低減が望まれるのである。
【０００５】
【課題を解決するための手段】
本発明は、用紙を用紙台から画像読取部に送り込むために、用紙の巾決めをする装置において、用紙巾決めフィンを形成するスライダーの形状に関し、以上のような不具合を解消するため、次のような手段を用いるものである。
【０００６】
まず、本発明に係る用紙ガイド装置は、用紙台に置かれた用紙の巾方向をガイドし、手操作によって移動可能な一対の対向する原稿巾決めフィンと該フィンが移動を行うための移動手段、フィンの移動を停止するためのストッパー及びストッパーが仕様に応じて無効化できるようにしたものである。また、ストッパーを働かせた場合でもフィンガイドの長さは変えずに、用紙台の用紙サイズ表示部の印刷を変えるだけで仕様の変更をするものである。
【０００７】
次に、前記フィンが用紙巾方向に対向する形で一対設けられ、これらのフィンには用紙台ケーシングを巾方向に摺動するラックギア付きスライダーを有し、該スライダーは用紙台裏面にピンにより枢支されたピニオンギアに噛合するラックギアを介して、両スライダーが協同して移動する、協同動作機構を構成しているものである。
【０００８】
さらに、前記ストッパーの構造は、スライダーに一体成形された突片とケーシングに形成された突起からなり、それらの係合関係によりフィンを拡がらなくすることができる。また、スライダーに形成された突片は、仕様に応じて簡単に切除可能とするものであり、切除した場合は、突片が突起部に当たらなくなり、巾決めフィンが拡がるようになる。従って、スライダーを仕様の最大幅まで用意しておき、幅内の一部に突片を設けることにより、スライダーを共通化することが可能になる。
【０００９】
【発明の実施の形態】
図示される例にしたがって、本発明の適用される用紙巾決めガイド機構について説明する。
【００１０】
まず、図３は、画像読取装置（ファクシミリ装置）についての全体構造を示したものである。図３において、操作者が原稿９を手によって図中用紙台１の上方から巾決めしてフィン２の間に挿入する際、操作者は、巾決めフィンのどちらかを手で持って用紙の巾に合わせてフィンを移動させると、他方の巾決めフィンがラックギア５及びピニオンギア６を介して、協同して動作し、両巾決めフィン２が原稿の巾に合わせられる。巾を合わせられた用紙は、用紙挿入口１１から画像読取部に送られる。
【００１１】
次に、図１は、本発明の用紙ガイド装置についての平面図である。符号１０で示されるものは、スライダーに付けられた突片であり、８で示されるものは用紙台１（ケーシング）に一体成形された突起（ストッパー）である。突片１０と突起８の係合関係によりスライダー４は拡巾移動することができないとともにフィンは、ラックギア５およびピニオンギア６を介して、両スライダー４が協同動作する協同動作機構を形成していることにより、一方のフィンを手で動かすと他方のフィンも拡巾できることから、一方に突起を付けておけば両方のフィンの拡巾もできないことになる。また、用紙台は同じ物を使うものの、用紙サイズ表示部７の印刷を変えることにより仕様に対応する。また、突片１０は、仕様に応じて切除可能であることから、ケーシングにある突起のある位置よりも大きな用紙サイズの仕様では、スライダー部の突片１０は取り除かれることにより対応するものである。
【００１２】
図２は、本発明の用紙巾決め装置の分解図である。まず、一対の巾決めフィン２にはスライダー４が用紙台の下部より取り付けられており、フィンガイド用の長孔３に沿ってフィンが動くようになっている。また、スライダー４には、突片１０とラックギア５が設けられており、突片１０と係合する形で用紙台１裏面には突起８（ストッパー）が設けられている。また、ケーシングの裏面には、ピニオンギア６がピン６ａにより回動自在に枢支されており、ピニオンギア６の回転により噛合しているラックギア５を介して、両巾決めフィン２は協同に動作している。
【００１３】
【発明の効果】
以上のように構成したので次のような効果を奏する。まず、仕様の異なる用紙巾決め装置に同じスライダー４とケーシング１を使用することによって、仕様に応じて金型を作る必要がなく、同じ金型で複数の仕様に応じることができる。したがって、同じ金型でスライダー、ケーシングができるため、金型コストが削減される。
【００１４】
次に、金型から取り出したままの状態では、スライダーには突片１０がケーシングには突起８が設けられており、スライダーの突片１０がケーシング部の突起と係合関係にすることにより、スライダーの突片１０とケーシングの突起８が当たること、及び、巾決めフィン２は、ラックギア５、ピン６により枢支されたピニオンギア６を介して、両スライダー４が協同動作する協同動作機構を形成していることにより、一方のフィンを手で動かせば他方のフィンも拡巾できるが、前記スライダーの突片１０とケーシングの突起８の係合することにより片方が拡巾できないと、両フィンが突起より外側へ動けなくなる。その結果、用紙巾決めフィンの可動域が狭まることから、用紙台の上方から用紙挿入部に送り込まれる用紙の巾も小さいものに限られてくるが、突起が設けられた部分よりも大きな用紙を読み取る場合には、スライダーの突片を切除することによってケーシングの突起部分にスライダーが当たることはなくなるため、用紙サイズの大きい仕様に対応ができる。そして、仕様が変わった場合には用紙台の用紙サイズ表示部７の印刷を変えることによって対応することができる。
【図面の簡単な説明】
【図１】  本発明の用紙巾決め装置の平面図である。
【図２】  本発明の用紙巾決め装置の分解図である。
【図３】  本発明の適用される画像読取装置の全体図である。
【図４】  従来の用紙巾決め装置の平面図である。
【符号の説明】
１    用紙台（ケ−シング）
２    フィン
３    フィンガイドの長孔
４    スライダー
５    ラックギア
６    ピニオンギア
６ａ  ピン
８    突起（ストッパー）
９    用紙
１０  突片
【図１】
0003840789.tif 000002
【図２】
0003840789.tif 000003
【図３】
0003840789.tif 000004
【図４】
0003840789.tif 000005